【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
１つ以上の最小限接続オブジェクト（ＭＣＯ）であって、各ＭＣＯが、それぞれに指定されるタスクを実行し、コンピュータ・ネットワークに安全に加入し、基準状態情報を提供するためには十分な限定されたインテリジェンスを有し、前記ＭＣＯが、複雑な用途特定データ処理および複雑なネットワーキング・タスクを実行するようには構成されない、１つ以上の最小限接続オブジェクトと、
前記ＭＣＯのためにエッジを前記コンピュータ・ネットワークに提供するように構成された１つ以上の分散型インテリジェンス・エージェント（ＤＩＡ）であって、当該ＤＩＡが、ＭＣＯに対するインテリジェント・ネットワーキング管理を担い、当該ＭＣＯのために複雑な用途特定データ処理を実行する役割を果たす、１つ以上の分散型インテリジェンス・エージェントと、
前記コンピュータ・ネットワーク内において前記ＤＩＡと通信する１つ以上の中央インテリジェンス・コントローラ（ＣＩＣ）であって、当該ＣＩＣが、ＭＣＯおよびＤＩＡ動作の制御を支配するための複雑なタスクを実行するように構成され、更に前記ＭＣＯおよびＤＩＡ動作に対する１組のユーザ定義規則を受けるために１つ以上のインターフェースを設けるように構成される、１つ以上の中央インテリジェンス・コントローラと
を備える、システム。
【請求項２】
請求項１記載のシステムにおいて、前記複雑なネットワーキング・タスクが、サービス品質（ＱｏＳ）の判断を行う、呼受入制御（ＣＡＣ）動作に関与する、トラフィック設計（ＴＥ）サービスを提供する、極めて複雑な信頼性プロトコルを実行する、およびネットワーク管理情報を外挿補間することから選択され、
ＤＩＡが更に、前記ＭＣＯについて、ＱｏＳの判断を行う、ＣＡＣ動作に関与する、ＴＥサービスを提供する、およびネットワーク管理情報を外挿補間することの内少なくとも１つを担う、システム。
【請求項３】
請求項１記載のシステムにおいて、前記ＤＩＡによる複雑な用途特定データ処理が、前記ＭＣＯからのデータを解釈する、前記ＭＣＯからのデータを集計する、前記ＭＣＯからのデータを欠落させる、および前記ＭＣＯにおいて内部始動を誘起することの内少なくとも１つを含む、システム。
【請求項４】
請求項１記載のシステムにおいて、前記ＤＩＡが、ディープ・パケット・インスペクションおよびインターネット・プロトコル・フロー情報のエクスポート（ＩＰＦＩＸ）動作の内少なくとも１つを実行するように構成される、システム。
【請求項５】
請求項１記載のシステムにおいて、前記ＤＩＡが、挙動変更命令を前記ＭＣＯに供給するように構成される、システム。
【請求項６】
請求項５記載のシステムにおいて、挙動変更が、転送判断、パケットに印を付けるためのサービス品質（ＱｏＳ）機能性のアクティブ化、優先順位をパケットに付けるためのＱｏＳ機能性のアクティブ化、呼受入制御（ＣＡＣ）の構成、データ生成のアクティブ化、およびデータ生成の管理で構成される群から選択される、システム。
【請求項７】
請求項１記載のシステムにおいて、前記ＤＩＡが、ＭＣＯ動作を更新するために、前記１つ以上のＣＩＣに命令を供給するように構成される、システム。
【請求項８】
請求項１記載のシステムにおいて、前記ＣＩＣの内１つ以上が前記ＤＩＡの内１つ以上においてローカルに存在する、システム。
【請求項９】
請求項１記載のシステムにおいて、前記ＭＣＯによって提供される基準状態情報が、リソースの可用性、ＭＣＯ機能性、およびＭＣＯ能力の内少なくとも１つを含む、システム。  
【請求項１０】
請求項１記載のシステムであって、前記各ＭＣＯの指定されるタスクが、センサ、アクチュエータ、タグ、および縮減ルータで構成される群から選択される、システム。
【請求項１１】
請求項１記載のシステムにおいて、前記ＣＩＣによって実行されるＭＣＯおよびＤＩＡ動作の制御を支配するための複雑なタスクが、セキュリティ動作、性能監視、およびサービス・レベル・アグリーメント（ＳＬＡ）管理の内少なくとも１つを含む、システム。
【請求項１２】
１つ以上のプロセスを実行するように構成されたプロセッサと、
前記プロセッサによって実行可能な分散型インテリジェンス・エージェント（ＤＩＡ）プロセスを格納するように構成されたメモリと、
１つ以上の最小限接続オブジェクト（ＭＣＯ）と通信する１つ以上のネットワーク・インターフェースであって、各ＭＣＯが、それぞれに指定されるタスクを実行し、コンピュータ・ネットワークに安全に加入し、基準状態情報を提供するためには十分な限定されたインテリジェンスを有し、前記ＭＣＯが、複雑な用途特定データ処理および複雑なネットワーキング・タスクを実行するようには構成されない、１つ以上のネットワーク・インターフェースと、
前記コンピュータ・ネットワーク内において１つ以上の中央インテリジェンス・コントローラ（ＣＩＣ）と通信する１つ以上のネットワーク・インターフェースであって、前記ＣＩＣが、ＭＣＯおよびＤＩＡ動作の制御を支配するための複雑なタスクを実行するように構成され、更に前記ＭＣＯおよびＤＩＡ動作に対する１組のユーザ定義規則を受けるために１つ以上のインターフェースを設けるように構成される、１つ以上のネットワーク・インターフェースと
を備える装置であって、前記ＤＩＡプロセスが、実行されると、
前記ＭＣＯのために前記コンピュータ・ネットワークにエッジを提供し、
前記ＭＣＯに対してインテリジェント・ネットワーキング管理を提供し、
前記ＭＣＯのために複雑な用途特定データ処理を実行する、
ように動作可能である、装置。
【請求項１３】
請求項１２記載の装置において、前記複雑なネットワーキング・タスクが、サービス品質（ＱｏＳ）の判断を行う、呼受入制御（ＣＡＣ）動作に関与する、トラフィック設計（ＴＥ）サービスを提供する、極めて複雑な信頼性プロトコルを実行する、およびネットワーク管理情報を外挿補間することから選択され、
前記ＤＩＡプロセスが、実行されると、更に、
前記ＭＣＯのためにＱｏＳの判断を行うこと、
前記ＭＣＯのためにＣＡＣ動作に関与すること、
前記ＭＣＯにＴＥサービスを提供すること、および
前記ＭＣＯのために、ネットワーク管理情報を外挿補間すること
の内少なくとも１つを動作可能である、装置。
【請求項１４】
請求項１２記載の装置において、複雑な用途特定データ処理が、前記ＭＣＯからのデータを解釈する、前記ＭＣＯからのデータを集計する、前記ＭＣＯからのデータを欠落させる、および前記ＭＣＯにおいて内部始動を誘起することの内少なくとも１つを含む、装置。
【請求項１５】
請求項１２記載の装置において、前記ＤＩＡプロセスが、実行されると、更に、ディープ・パケット・インスペクション分析およびインターネット・プロトコル・フロー情報のエクスポート（ＩＰＦＩＸ）動作の内少なくとも１つを実行するように動作可能である、装置。
【請求項１６】
請求項１２記載の装置において、前記ＤＩＡプロセスが、実行されると、更に、挙動変更命令を前記ＭＣＯに供給するように動作可能である、装置。
【請求項１７】
請求項１６記載の装置において、挙動変更が、転送判断、パケットに印を付けるためのサービス品質（ＱｏＳ）機能性のアクティブ化、優先順位をパケットに付けるためのＱｏＳ機能性のアクティブ化、呼受入制御（ＣＡＣ）の管理、データ生成のアクティブ化、およびデータ生成の管理で構成される群から選択される、装置。
【請求項１８】
請求項１２記載の装置において、前記ＤＩＡプロセスが、実行されると、更に、ＭＣＯ動作を更新するために前記１つ以上のＣＩＣに命令を供給するように動作可能である、装置。
【請求項１９】
請求項１２記載の装置において、前記メモリが、ＣＩＣ動作を実行するために前記プロセッサによって実行可能なＣＩＣプロセスを格納するように構成される、装置。
【請求項２０】
請求項１２記載の装置において、各ＭＣＯの前記指定されるタスクが、センサ、アクチュエータ、タグ、および縮退ルータで構成される群から選択される、装置。
【請求項２１】
１つ以上のプロセスを実行するように構成されたプロセッサと、
前記プロセッサによって実行可能な最小限接続オブジェクト（ＭＣＯ）プロセスを格納するように構成されたメモリであって、前記ＭＣＯプロセスが、実行されると、
指定されるＭＣＯタスクを実行し、
コンピュータ・ネットワークに安全に加入し、
基準状態情報を提供する
ように動作可能であり、前記ＭＯＣプロセスが、複雑な用途特定データ処理および複雑なネットワーキング・タスクを実行するようには動作可能でない、メモリと、
他のＭＣＯと通信するための１つ以上のネットワーク・インターフェースと、
ＭＣＯのために前記コンピュータ・ネットワークにエッジを提供するように構成された１つ以上の分散型インテリジェンス・エージェント（ＤＩＡ）と通信するための１つ以上のネットワーク・インターフェースであって、
前記ＤＩＡが、前記ＭＣＯのためにインテリジェント・ネットワーキング管理を担うと共に、前記ＭＣＯのために複雑な用途特定データ処理を実行する役割を果たし、
前記ＤＩＡが、更に、前記コンピュータ・ネットワーク内部において１つ以上の中央インテリジェンス・コントローラ（ＣＩＣ）と通信するために１つ以上のネットワーク・インターフェースと通信するように構成され、前記ＣＩＣが、ＭＣＯおよびＤＩＡ動作の制御を支配するための複雑なタスクを実行するように構成され、更に前記ＭＣＯおよびＤＩＡ動作に対する１組のユーザ定義規則を受けるために１つ以上のインターフェースを設けるように構成される、
１つ以上のネットワーク・インターフェースと
を含む、装置。
【請求項２２】
請求項２１記載の装置において、前記複雑なネットワーキング・タスクが、サービス品質（ＱｏＳ）の判断を行う、呼受入制御（ＣＡＣ）動作に関与する、トラフィック設計（ＴＥ）サービスを提供する、極めて複雑な信頼性プロトコルを実行する、およびネットワーク管理情報を外挿補間することから選択される、装置。
【請求項２３】
請求項２１記載の装置において、前記ＭＣＯプロセスが、実行されると更に、挙動変更命令を前記ＤＩＡから受信するように動作可能であり、挙動変更が、転送判断、パケットに印を付けるためのサービス品質（ＱｏＳ）機能性のアクティブ化、優先順位をパケットに付けるためのＱｏＳ機能性のアクティブ化、呼受入制御（ＣＡＣ）の管理、データ生成のアクティブ化、およびデータ生成の管理で構成される群から選択される、装置。
【請求項２４】
請求項２１記載の装置において、前記指定されるタスクが、センサ、アクチュエータ、タグ、および縮退ルータで構成される群から選択される、装置。
【請求項２５】
請求項２１記載の装置において、前記ＭＣＯプロセスによって提供される基準状態情報が、リソースの可用性、ＭＣＯ機能性、およびＭＣＯ能力の内少なくとも１つを含む、装置。